(57)【要約】      （修正有）【課題】ユーザーがパスワードを使用する必要はなく、単にＵＳＢハードウェア部材をコンピュータシステムに挿入すれば電子メールとデコーディングされる主旨とメッセージ内容と添付ファイルをダウンロードできる、ハードウェア式電子サイン方法を提供する。【解決手段】差出人端末システムにＵＳＢハードウェア部材を接続し、ＵＳＢハードウェア部材のシリアルエンコーディングによってハードウェア式電子サインを制作すると共に、当該ハードウェア式電子サインによって受取人端末システムに登録を求めるステップ（ａ）と、差出人端末システムがハードウェア式電子サインによって原始電子メールに対しエンコーディングとフォーマット化をし、それらのことによってパッケージ電子メールを生成後に差し出すステップ（ｂ）とを少なくとも含む。【選択図】      図１
2004227050.tif 000002
【特許請求の範囲】
【請求項１】
電子メール処理システムに利用されるハードウェア式電子サイン方法であって、
差出人端末システムにＵＳＢハードウェア部材を接続し、ＵＳＢハードウェア部材のシリアルエンコーディングによってハードウェア式電子サインを制作すると共に、該ハードウェア式電子サインによって受取人端末システムに登録を求めるステップ（ａ）と、
差出人端末システムがハードウェア式電子サインによって原始電子メールに対しエンコーディングとフォーマット化をし、それらのことによってパッケージ電子メールを生成後に差し出すステップ（ｂ）と、
受取人端末システムが前記パッケージ電子メールを受信してからハードウェア式電子サインの検証を実行するステップ（ｃ）と、
受取人端末システムがハードウェア式電子サインに誤りがないと確認する場合、該パッケージ電子メールをデコーディングすると共に、原始電子メールに還元するステップ（ｄ）とを少なくとも含むことを特徴とする、ハードウェア式電子サイン方法。
【請求項２】
前記差出人端末システムは受取人端末システムへハードウェア式電子サインを求める登録手数が電子メールの形式によって実行することを特徴とする、請求項１に記載のハードウェア式電子サイン方法。
【請求項３】
差出人端末システムが受取人端末システムへハードウェア式電子サインの登録を求める場合、受取人端末システムが識別してから差出人の電子メールアドレスとハードウェア式電子サインを還元すると共に、それらを受取人端末システムに記憶し、ハードウェア式電子サインの検証ステップの際の依拠とすることを特徴とする、請求項１に記載のハードウェア式電子サイン方法。
【請求項４】
受取人端末システムがハードウェア式電子サインの検証ステップを実行する場合に誤りが生じる場合、パッケージ電子メールのデコーディングと還元の仕事を実行しないようにすることを特徴とする、請求項１に記載のハードウェア式電子サイン方法。
【請求項５】
受取人端末システムがハードウェア式電子サインの検証ステップを実行する場合に誤りが生じる場合、電子メールの主旨とメッセージの内容とが乱数になることを特徴とする、請求項１に記載のハードウェア式電子サイン方法。
【請求項６】
受取人端末システムがハードウェア式電子サインの検証ステップを実行する場合に誤りが生じる場合、電子メールの添付ファイルが閉鎖されるようになることを特徴とする、請求項１に記載のハードウェア式電子サイン方法。
【発明の詳細な説明】
【０００１】
【発明の属する技術分野】
本発明はハードウェア式電子サイン方法に係わり、特に電子メール処理システムに利用される電子サイン方法に関するものである。
【０００２】
【従来の技術】
コンピュータとインターネットの普及に従って、大衆の通信方式が速くて簡単で低コストの電子メールへ移行してきている。コンピュータユーザーが電子メールを利用して情報伝達の目的を達成することは、一般の書類のものだけではなく、商業価値を有する電子ファイル、例えば弁理士と発明者との間の特許書類や売買双方の間の契約書類や企業間の書類などをも含まれる。インターネットの世界においていくら長い距離でも電子メールを利用することによって数秒間内で連結でき、大切な電子メールのファイルを分配及び送信でき、しかしながら、他人がインターネットを介して他人の情報を盗むことができる。
【０００３】
そのため、ユーザーが電子メールによって添付ファイルと共に大切な情報を伝達しようとする場合、必ず添付のファイルにパスワードを導入して秘密化を実行しなければならなくなり、他人が当該電子メールを盗み見た後に当該電子メールに添付されるファイルの情報を盗用することを防止すべきである。このような秘密化書類を添付している電子メールが差し出された後に差出人が受取人に対し秘密化書類のパスワード（または双方に既に知られるパスワードセットなど）を知らせる必要があり、受取人が前記パスワードによってデコーディングを実行する。
【０００４】
前記の秘密化方法は差出人と受取人との間でファイルを添付することの秘密性を向上できるが、依然として下記のような課題を有する：
１．パスワードの効果性
パスワードは差出人と受取人とに認定されるので、１セットの符号と数字と文字との組み合わせにてなる人為的パスワードを使用できるが、人為パスワードには多くの課題を有し、例えば第三者に漏れるか、第三者に不法の手段によって盗まれるかなど、そのため、随時にパスワードを変更する必要はある。
２．電子メールが完全に秘密化できない
秘密化作業が添付ファイルの安全性を向上するが、他人が依然として当該電子メールの主旨とメッセージ内容とをキャッチし、当該部分の内容を読み取ることによって当該電子メールに添付されるファイルが商業価値を有するかを判断でき、判断後に当該添付ファイルをキャッチするかそれを破壊するかを決められる。３．単に個人と個人の間で電子メールを送受信できる
添付ファイルを秘密化後に、差出人が前記受取人にパスワードを提供してデコーディングする必要があり、受取人が複数存在する場合、パスワードの信頼性を向上することと、ある受取人が既に差出人と固定のパスワードを有することに応じようとする場合、差出人が添付ファイルをそれぞれ異なるパスワードによって秘密化する必要があり、そのため、単純なパスワードによって添付ファイルを秘密化する方法は、一般の会社の取引行為に不向きとなる。
【０００５】
前記のことに鑑みて、本発明の発明者は研究開発を進めると共に、学術の運用を合せて極めた結果、本発明のハードウェア式電子サイン方法を提供するに至った。
【０００６】
【発明が解決しようとする課題】
本発明は、ユニバーサル・シリアル・バス（ＵＳＢ）のハードウェア部材の独特なシリアル番号と携帯に便利である優れた点を利用してそれぞれのメールの主旨とメッセージ内容と添付ファイルを電子サインとし、この電子サインも一部の鍵となり、メールの主旨やメッセージ内容と添付ファイルの乱数となり、ハードウェアサインの携帯性によってユーザーがパスワードを使用する必要はなく、単にＵＳＢハードウェア部材をコンピュータシステムに挿入すれば電子メールとデコーディングされる主旨とメッセージ内容と添付ファイルをダウンロードできる、ハードウェア式電子サイン方法を提供することをその主要な目的とする。
【０００７】
【課題を解決するための手段】
そのため、本発明はハードウェア式電子サイン方法を提供することをその主要な目的とし、電子メール処理システムに応用され、当該方法には少なくとも下記のようなステップを有し、つまり、
差出人端末システムにＵＳＢハードウェア部材を接続し、ＵＳＢハードウェア部材のシリアルエンコーディングによってハードウェア式電子サインを制作すると共に、当該ハードウェア式電子サインによって受取人端末システムに登録を求めるステップ（ａ）と、
差出人端末システムがハードウェア式電子サインによって原始電子メールに対しエンコーディングとフォーマット化をし、それらのことによってパッケージ電子メールを生成後に差し出すステップ（ｂ）と、
受取人端末システムが前記パッケージ電子メールを受信してからハードウェア式電子サインの検証を実行するステップ（ｃ）と、
受取人端末システムがハードウェア式電子サインに誤りがないと確認する場合、当該パッケージ電子メールをデコーディングすると共に、原始電子メールに還元するステップ（ｄ）とを少なくとも含む。
【０００８】
以下に本発明の構造の特徴とその機能を解明するために、具体的な実施の形態を挙げて且つ添付図面の内容を合せて詳細に説明する。
【０００９】
【発明の実施の形態】
図１に示すのは本発明の簡単な説明図であり、原始電子メール１が差出人端末よりエンコーディング及びフォーマット化してから（符号２）、遠方のメールサーバー３１に送信し、また複数個のゲートとサーバーとを有するインターネット３を介して通信後に受取人端末の遠方メールサーバー３２に至る。エンコーディングとフォーマット化される電子メールが遠方のメールサーバー３２よりダウンロードされ、受取人端末でデンコーディング及び還元後に（符号４）、読み取り可能な原始電子メール１に回復させる。もし、電子メールの送信過程中に他人がメール５をキャッチする場合、電子メールが既にエンコーディング且つフォーマット化されるため、当該電子メール６を読み取れないようになってしまう。
【００１０】
図２に示すのは差出人端末のＵＳＢ電子サインの制作及び送信を示す説明図である。ハードウェア式電子サイン（ＵＳＢ電子サイン）を有する差出人端末システム２０はソフトオペレーションシステム２０１とＵＳＢハードウェア部材２０２とを結合してなるものであり、電子サインの製作過程２１にはＵＳＢハードウェア部材のシリアル番号２１１を読み取った後に当該シリアル番号を改めて混合して且つフォーマット化して（符号２１２）電子サインを形成し、また、当該ＵＳＢ電子サインを遠方メールサーバー３１を介して電子メールの方式によって１つまたは複数の受取人２１３に送信し、登録の手続きを実行する。
【００１１】
差出人端末システムが受取人端末システムへハードウェア式電子サイン登録を実行する場合に、受取人端末システムが識別によって差出人の電子メールアドレスとハードウェア式電子サインを還元し、且つそれを受取人端末システムに記憶し、ハードウェア式電子サインの検証ステップの際の依拠となる。図３に示すのは受取人が差出人端末のＵＳＢ電子サイン登録を受ける場合である。受取人端末４０が遠方メールサーバー３２より電子メールをダウンロードしてからＵＳＢ電子サイン登録プロセス４１を実行し、それには、電子メールには差出人端末の公告ＵＳＢ電子サインを有するかを判断し（符号４１１）、Ｙｅｓである場合、差出人のＵＳＢ電子サインを還元と記憶し（符号４１２）、Ｎｏである場合、一般のメールとして処理する（符号４１３）。
【００１２】
差出人端末が本発明の発信プロセスを利用することが図４に示すようであり、差出人端末システム２０は発信プロセス２２を利用して電子メールを遠方のメールサーバー３１に送信し、そのうち、前記発信プロセス２２には電子メールの主旨やメッセージ内容と選択的に添付ファイルを加入するステップ２２１と１個または複数個の指定されるＵＳＢ電子サインを選用するステップ２２２とを有し、受取人端末が複数ある場合、本発明はそれぞれの受取人の独特な（個人化した）ハードウェア式電子サインに応じて原始電子メールに対し個別化のエンコーディングとフォーマット化を実行できる。ＵＳＢ電子サインを選用してメールを送信する場合、ＵＳＢ電子サインによって主旨やメッセージ内容や添付ファイルなどに対しエンコーディングとフォーマット化をし（符号２２３）、それをパッケージ電子メールに形成させた後にメール２２４を遠方メールサーバー３１に送信し、且つ当該パッケージ電子メールが一般のＳＭＴＰ／ＰＯＰ３フォーマットに相容れる。そうでない場合、直接的にメール２２４を遠方メールサーバー３１に送信する。
【００１３】
また、受取人端末が本発明の受け取りを利用する場合のプロセスが図５に示され、パッケージ電子メールが遠方メールサーバー３２を介して受信端システム４０へダウンロードされ、この場合、受取人端末システムがハードウェア式電子サインの検証ステップ４２を実行し、それには電子メールが本発明のＵＳＢ電子サインを使用するかの工程４２１と、否定である場合、メール内容を表示する工程４２２と、肯定である場合受取人端末には正確的なＵＳＢハードウェア部材を取り付けているかを判断する工程４２３とを含む。正確的なＵＳＢハードウェア部材が取り付けられる場合、システムは前記パッケージ電子メールをデコーディングすると共に、その主旨とメッセージ内容と添付ファイルを還元し（符号４２５）、且つメールの内容を表示する（符号４２２）、もし、受取人端末のシステムがハードウェア式電子サインの検証ステップに誤りがある場合、電子メールの主旨とメッセージ内容が乱数になってしまい、メールの内容を表示できなくなってしまう（符号４２４）。そのため、受取人端末にＵＳＢハードウェア部材を取り付けない場合、且つＵＳＢハードウェア部材には正確的なシリアル番号を有しない場合、電子メールの主旨とメッセージ内容を読み取れなくなってしまうと共に、その主旨とメッセージ内容と添付ファイルを還元できないようになってしまう。
【００１４】
図６に示すのは本発明によって受信と発信とを実行する場合を示すトータルフローチャートである。電子メールが遠方メールサーバー３２より受け取り端システム４０にダウンロードされる場合に、受取人端末システム４０が電子メールには本発明のＵＳＢ電子サインを使用しているかを判断し（符号４２１）、否定である場合、一般のメールの処理方式によって直接的にメールの内容を表示し（符号４２２）、肯定である場合、受取人端末には正確的なＵＳＢハードウェア部材を取り付けているかを判断する（符号４２３）。もし、正確的なＵＳＢ部材を取り付けた場合、システムは前記パッケージ電子メールをデコーディングし、且つその主旨とメッセージ内容と添付ファイルとを還元し（符号４２５）、且つメールの内容を表示する（符号４２２）。もし、受取人端末システムがハードウェア式電子サインの検証ステップを実行する場合に誤りが生じた場合、電子メールの主旨とメッセージ内容とが乱数になってしまい、且つ添付ファイルがオープンできなくなってしまい、そのため、メールの内容４２４を表示できなくなってしまう。また、ＵＳＢサインが実行される電子メールの主旨とメッセージ内容と添付ファイルに対しエンコーディング且つフォーマット化したパッケージ電子メールを差し出そうとする場合、差出人端末システム２０にはソフトオペレーションシステム２０１とＵＳＢハードウェア部材２０２とを備える必要があり、さらに、まずＵＳＢ電子サインを制作して受取人端末システムに対し登録を実行する必要があり、登録処理実行後に、差出人端末より電子メールの主旨とメッセージ内容と添付ファイルの選択的添付の書き込み及び添付実行を実行しなければならなく（符号２２１）、ＵＳＢ電子サインを選択後に（符号２２２）、本発明のシステムはＵＳＢ電子サインを使用して主旨とメッセージ内容と添付ファイルに対しエンコーディングとフォーマット化を実行し（符号２２３）、それをパッケージ電子メールに形成され、それからメール２２４を遠方のメールサーバー３１に送信し、最後にインターネットのリンクによりパッケージ電子メールを受取人端末の遠方のメールサーバー３２に送信する。
【００１５】
【発明の効果】
前記に説明したように、本発明のハードウェア式電子サイン方法には携帯便利なＵＳＢハードウェア部材とソフトシステムを結合し、ＵＳＢハードウェア部材のシリアル番号の生成する独特な電子サインによって且つ電子メールの主旨とメッセージ内容と添付ファイルに対しエンコーディングとフォーマット化を実行することによってパスワードをハードウェア式電子サインによって取り替える効果を達成する。差出人端末が受取人端末の独特なハードウェア式電子サインを利用して原始電子メールをパッケージ電子メールになるようにエンコーディング且つフォーマットし、受取人端末が複数いる場合、本発明はそれぞれの受取人の独特な（個人化した）ハードウェア式電子サインに応じて、原始電子メールに対し個別化のエンコーディングとフォーマット化を実行し、また、当該パッケージ電子メールを差し出す。当該パッケージ電子メールが一般のＳＭＴＰ／ＰＯＰ３システムに相容れる。パッケージ電子メールが受取人端末に送信される場合、受取人端末システムには最初に登録認可を受けたＵＳＢハードウェア部材（正確的なＵＳＢハードウェア部材のシリアル番号を提供できる）が差し込まれなければ当該パッケージ電子メールの主旨とメッセージ内容を読み取れないようになってしまい（乱数フォーマットになる）、かつ当該パッケージ電子メールの添付される添付ファイルをオープンできなくなってしまい、そのため、本発明のハードウェア式電子サイン方法による電子メールの秘密性と完璧性とを確保でき、且つ携帯便利なＵＳＢハードウェア部材がパスワード鍵となり、ユーザーはパスワードを暗誦する必要はなく、そのため、本発明は新規性と進歩性とを有し、発明の要件に該当し、法に従って出願を提起する。
【図面の簡単な説明】
【図１】本発明の簡単な構成を示す説明図である。
【図２】差出人端末のＵＳＢ電子サインの制作及び発信を示す説明図である。
【図３】受取人端末が差出人端末のＵＳＢ電子サイン登録を受ける場合を示す説明図である。
【図４】差出人端末が本発明の発信フローを利用する場合を示す説明図である。
【図５】受取人端末は本発明の受信フローを利用する場合を示す説明図である。
【図６】本発明によって受信と送信とを実行する場合を示すトータルフローチャートである。
【符号の説明】
１        原始電子メール
２        差出人のエンコーディング及びフォーマット化作業
３        インターネット
４        受取人のデコーディング及び還元
５        メールキャッチ
６        電子メールを読み取れない
２０      差出人端末システム
２１      制作プロセス
２２      発信プロセス
３１      差出人の遠方メールサーバー
３２      受取人の遠方メールサーバー
４０      受取人端末システム
４１      ＵＳＢ電子サイン登録プロセス
４２      検証ステップ
２０１    ソフトオペレーションシステム
２０２    ＵＳＢハードウェア部材
２１１    ＵＳＢハードウェア部材シリアル番号を読み取る
２１２    シリアル番号を改めて混合及びフォーマット化
２１３    ＵＳＢサインを１個または複数個のクライアントに送信する
２２１    電子メールをタイピング
２２２    １個または複数個の指定されるＵＳＢ電子サインを選用するか
２２３    ＵＳＢ電子サインによってエンコーディング及びフォーマット化
２２４    メール送信
４１１    差出人端末の公告ＵＳＢ電子サインを有するか判断
４１２    差出人のＵＳＢ電子サインを還元及び記憶
４１３    一般のメール処理
４２１    電子メールにはＵＳＢ電子サインを使用しているかをチェック
４２２    メール内容を表示
４２３    受取人端末に正確なＵＳＢハードウェア部材を取り付けるか判断
４２４    メール内容を表示できない
４２５    パッケージ電子メールをデコーディング及び還元
【図１】
2004227050.tif 000003
【図２】
2004227050.tif 000004
【図３】
2004227050.tif 000005
【図４】
2004227050.tif 000006
【図５】
2004227050.tif 000007
【図６】
2004227050.tif 000008